(57)【要約】【課題】同じ場面を撮影している他の記録再生装置から映像データを取得することで、目的の被写体が映っている映像データを他の記録再生装置から取得することが出来る記録再生装置を提供する。【解決手段】被写体を撮影して映像データを出力する映像撮影部１６と、撮影されている特定の被写体のＩＤを入手するＩＤ検知部３１と、映像データにおける特定の被写体が撮影されている領域にＩＤを関連付けて、ＩＤが関連付けられた映像データを記録する映像記録部１３と、ＩＤが関連付けられた他の映像データを外部に要求し、他の映像データを受信可能にし、外部からＩＤと関連付けされた映像データの送信要求がされた場合に、ＩＤが関連付けられた映像データを外部に送出する共有処理部１１とを備える。【選択図】図１
2010034788.tif 000002
【特許請求の範囲】
【請求項１】
被写体を撮影して映像データを出力する映像撮影部と、
撮影されている特定の被写体のＩＤを入手するＩＤ検知部と、
前記映像データにおける前記特定の被写体が撮影されている領域に前記ＩＤを関連付けて、前記ＩＤが関連付けられた映像データを記録する映像記録部と、
前記ＩＤが関連付けられた他の映像データを外部に要求し、前記他の映像データを受信可能にし、
外部から前記ＩＤと関連付けされた前記映像データの送信要求がされた場合に、前記ＩＤが関連付けられた映像データを外部に送出する共有処理部とを備えたことを特徴とする記録再生装置。
【請求項２】
前記共有処理部は、外部から前記ＩＤと関連付けされた前記映像データの送信要求がされた場合に、要求された映像データとタイプが一致した映像データのみを外部に送信する請求項１に記載の記録再生装置。
【請求項３】
前記共有処理部は、前記映像データと同じタイプの他の映像データを外部に要求可能な請求項１に記載の記録再生装置。
【請求項４】
前記共有処理部は、外部から前記ＩＤと関連付けされた部分の前記映像データの送信要求がされた場合に、前記映像データにおける前記ＩＤと関連付けされた部分のみを外部に送出する請求項１に記載の記録再生装置。
【請求項５】
前記共有処理部は、前記ＩＤと関連付けされた部分の前記映像データのみを外部に要求する請求項１に記載の記録再生装置。
【発明の詳細な説明】
【技術分野】
【０００１】
本発明は、撮影した映像データをネットワーク経由で共有する記録再生装置に関するもので、特に撮影した被写体が映っている映像データを他のカメラと共有する記録再生装置に関する。
【背景技術】
【０００２】
近年、無線ＬＡＮフリースポットなどの公衆ネットワークインフラの整備が進み、デジタルカメラで撮影した画像データを他の人に送ったり、受信したりすることが多くなっている。このような、公衆ネットワークを利用した者同士で撮影画像データを共有できるシステムが提案されている（例えば、特許文献１参照）。
【０００３】
ネットワークを構成するカメラ等のデータ処理装置には、少なくとも１つの人物の属性情報及び属性情報に対応付けられた配信情報が登録されている。画像データを取得したあるデータ処理装置は、ネットワーク内の他の端末から登録情報を収集し、その登録された属性情報に対応する人物が画像データに含まれるか否かを判別する。データ処理装置は、登録された属性情報が含まれる、と判別した画像データをそれぞれ対応する配信情報に基づいて配信先に送信することで、操作者の手間をなくして撮影画像データを共有することができる。
【０００４】
また、動画像においても圧縮技術の向上により低レートでも高画質な映像が撮影できるようになり、Ｗｅｂへの公開や他の人と動画像データを共有したりするということが増えている。
【特許文献１】特開２００６−１６６６０８号公報
【発明の開示】
【発明が解決しようとする課題】
【０００５】
動画像の場合には、撮影後に構成などの編集作業を行い、一つの作品として残すことが多い。したがって、映像データ（動画像データ）を共有するにあたって、同じ場面を撮影している映像データを共有することが望まれる。
【０００６】
上記従来の技術は、映像データにも適用できるが、同じ場面を撮影している映像データを自動的に共有することはできない。
【０００７】
本発明は、上記従来の課題を解決するためになされたものであり、同じ場面を撮影している他の記録再生装置から映像データを取得することで、目的の被写体が映っている映像データを他の記録再生装置から取得することが出来る記録再生装置を提供することを目的とする。
【課題を解決するための手段】
【０００８】
本発明の記録再生装置は、上記課題を解決するために、被写体を撮影して映像データを出力する映像撮影部と、撮影されている特定の被写体のＩＤを入手するＩＤ検知部と、前記映像データにおける前記特定の被写体が撮影されている領域に前記ＩＤを関連付けて、前記ＩＤが関連付けられた映像データを記録する映像記録部と、前記ＩＤが関連付けられた他の映像データを外部に要求し、前記他の映像データを受信可能にし、外部から前記ＩＤと関連付けされた前記映像データの送信要求がされた場合に、前記ＩＤが関連付けられた映像データを外部に送出する共有処理部とを備えたことを特徴とする。共有処理部は、機器設定処理部、通信処理部、検索処理部などシステム制御部で構成されている。
【発明の効果】
【０００９】
本発明によれば、同じ場面を撮影している他の記録再生装置に対して被写体のＩＤの検索を行うことで、目的の被写体が映っている映像データを他の記録再生装置から取得することが出来る。また、取得した映像データは、映像データの編集の際に用いたり、マルチアングル再生に用いたりすることが出来る。
【発明を実施するための最良の形態】
【００１０】
本発明の記録再生装置は、上記構成を基本として種々の態様をとることができる。すなわち、上記記録再生装置において、前記共有処理部は、外部から前記ＩＤと関連付けされた前記映像データの送信要求がされた場合に、要求された映像データとタイプが一致した映像データのみを外部に送信する構成にすることができる。
【００１１】
また、前記共有処理部は、前記映像データと同じタイプの他の映像データを外部に要求可能な構成にすることができる。
【００１２】
また、前記共有処理部は、外部から前記ＩＤと関連付けされた部分の前記映像データの送信要求がされた場合に、前記映像データにおける前記ＩＤと関連付けされた部分のみを外部に送出する構成にすることができる。
【００１３】
また、前記共有処理部は、前記ＩＤと関連付けされた部分の前記映像データのみを外部に要求する構成にすることができる。
【００１４】
以下、本発明を実施するための最良の形態について、図面を参照しながら説明する。まず、本実施の形態に係る記録再生装置１ａの使用状況について説明する。
【００１５】
図１は、記録再生装置１ａが運動会のリレー走者を撮影する場合に活用される例を示す図である。記録再生装置１ａは、被写体２ａを撮影しており、記録再生装置１ｂは、被写体２ｂを撮影している。なお、記録再生装置１ｂは、記録再生装置１ａと同様の構成を有する。
【００１６】
また、被写体２ａには、被写体毎にユニークなＩＤが記録された電子タグ３ａが取り付けられている。また、被写体２ｂには、電子タグ３ｂが取り付けられている。記録再生装置１ａは、電子タグ３ａ、３ｂのＩＤ情報を読み取ることにより、被写体２ａ、２ｂの検知を行う。
【００１７】
リレーがスタートする数秒前に、撮影者の操作により、記録再生装置１ａおよび記録再生装置１ｂはそれぞれ撮影を開始し、ゴールした後に撮影を停止する。撮影停止後、記録再生装置１ａは、被写体２ａのＩＤに基づき、ネットワーク網４を通して記録再生装置１ｂに対して、被写体２ａが映った映像データの検索を行う。同様に、記録再生装置１ｂは、記録再生装置１ａに対して、被写体２ｂが映った映像データを検索する。なお、ネットワーク網４は、インターネットや学校などのローカルネットワーク等である。
【００１８】
以下、記録再生装置１ａについて詳細に説明する。図２は、本実施の形態に係る記録再生装置１ａの構成を示すブロック図である。システム制御部１１は、例えば、ＣＰＵとメモリとを含むコンピュータによって実現され、データの処理、映像データの共有処理、各部の制御等を行う。第１記録媒体１２は、機器の設定を保存するためのものであり、不揮発性のものがよく、例えばフラッシュメモリが好ましい。第２記録媒体１３は、映像・音声入力部１６から入力された映像データや音声データを記録するためのものであり、容量が大きいハードディスクや着脱可能なＳＤカードなどが好ましい。
【００１９】
通信装置１４は、図１に示すネットワーク網４に接続するためのインターフェースであり、例えば無線ＬＡＮアダプタや有線ネットワークアダプタなどが好ましい。入力部１５は、ＩＤ情報、機器設定などの撮影者による設定および撮影の開始、停止などの指示を受け付ける。
【００２０】
映像・音声入力部１６は、入力された映像および音声を映像信号および音声信号に変換する。エンコーダＨｉｇｈ１７は、映像・音声入力部１６から出力された映像信号を放送に使用可能な高解像度で順次圧縮して高解像度符号化データを形成する。また、エンコーダＨｉｇｈ１７は、映像・音声入力部１６から入力される音声信号を圧縮して高音質オーディオデータを形成する。
【００２１】
エンコーダＬｏｗ１８は、映像・音声入力部１６から入力される映像信号を例えばＭＰＥＧ（Ｍｏｖｉｎｇ  Ｐｉｃｔｕｒｅ  Ｅｘｐｅｒｔｓ  Ｇｒｏｕｐ）に規定のフォーマットにより、エンコーダＨｉｇｈ１７が圧縮するよりも低解像度で順次圧縮して、低解像度符号化データを形成する。低解像度符号化データは、遠隔地の編集装置などと無線または有線等でストレスなく送受信可能なデータ量である。また、エンコーダＬｏｗ１８は、映像・音声入力部１６から入力される音声信号を圧縮して低音質オーディオデータを形成する。
【００２２】
低解像度符号化データ及び低音質オーディオデータは、プロキシデータと呼ばれ、近年一般的に行われている、いわゆるノンリニア編集を行うためのデータであり、パーソナルコンピュータ等に取り込まれた後、編集の素材とされる。ノンリニア編集は、パーソナルコンピュータ等の処理能力が不足し、上述したような高解像度符号化データや高音質オーディオデータからなる本線データを直接編集の素材とすることができない場合に行われる。したがって、プロキシデータは、編集や映像確認に耐えうる程度の解像度は必要である。
【００２３】
デコーダ２０は、高解像度符号化データ、高音質オーディオデータ及びプロキシデータを映像信号や音声信号に変換する。映像・音声出力部１９は、デコーダ２０により複号化された映像信号や音声信号を映像や音声として出力する。人物検知装置２１は、電子タグリーダであり、被写体２ａ、２ｂに取り付けられている電子タグ３ａ、３ｂから被写体２ａ、２ｂのＩＤ情報を検知する。表示部２２は、映像データのサムネイル等を表示する。
【００２４】
システム制御部１１は、人物検知処理部３１、機器設定処理部３２、クリップファイル処理部３３、通信処理部３４、ＧＵＩ処理部３５、検索処理部３６を有する。システム制御部１１に含まれる各部３１〜３６は、ＣＰＵで各種のプログラムを実行することによって実現される。
【００２５】
人物検知処理部３１は、人物検知装置２１が特定ＩＤを検知した時刻に対応するオフセットと、検知できなくなった時刻に対応するオフセットを、特定ＩＤとともにクリップファイル処理部３３に入力する。機器設定処理部３２は、撮影者からの指令、被写体のＩＤなどを入力部１５を介して受信し、機器の設定を行い、機器の設定状態を第１記録媒体１２に記録する。
【００２６】
クリップファイル処理部３３は、エンコーダＨｉｇｈ１７から出力された高解像度符号化データをＭＸＦ（Ｍａｔｅｒｉａｌ  Ｅｘｃｈａｎｇｅ  Ｆｏｒｍａｔ）形式にファイル化し、第２記録媒体１３に記録する。このとき、クリップファイル処理部３３は、高解像度符号化データの先頭フレームのデータからビットマップ形式の画像ファイルであるサムネイル画像を作成し、第２記録媒体１３に記録する。このサムネイル画像データは、表示部２２にサムネイル一覧として表示される。サムネイル画像データは、所望の映像データを第２記録媒体１３から探しやすくしたりするものである。したがって、画像サイズは大きい必要はなく縦８０ピクセル、横６０ピクセル、１ピクセルあたり２４ビットの画像データに圧縮される。また、クリップファイル処理部３３は、高音質オーディオデータをＷａｖｅ形式にファイル化し、第２記録媒体１３に記録する。
【００２７】
なお、映像データや音声データ、管理情報など一回の撮影でできるデータをまとめてクリップと呼ぶ。
【００２８】
また、クリップファイル処理部３３は、低解像度符号化データをファイル化し、第２記録媒体１３に記録する。また、クリップファイル処理部３３は、低音質オーディオデータをファイル化し、第２記録媒体１３に記録する。
【００２９】
また、クリップファイル処理部３３は、ＩＤを検知した時刻に対応するオフセットと検知できなくなった時刻に対応するオフセットとともにＩＤをクリップ管理情報に記録する。なお、電子タグを用い被写体を検知する方法については、公知の技術のため説明を省略する。
【００３０】
クリップファイル処理部３３は、映像データや音声データのフレームレートやフレーム数、データのサイズをフレーム数で表したデュレーション等の情報を管理したり関連付けを行ったりするためのクリップ管理情報を作成し、ＸＭＬ形式にファイル化する。クリップ管理情報も第２記録媒体１３に記録する。
【００３１】
図３は、本実施の形態におけるクリップ管理情報の一例を示す。タグ４１は、クリップ全体の情報であり、クリップ名、作成日時、クリップのトータルフレーム数を表すデュレーションが記録されていることを示している。
【００３２】
タグ４２は、ビデオ情報であり、映像ファイルのファイルタイプ、映像コーデック、フレームレートが記録されている。図３の例では、１００Ｍｂｐｓの圧縮レートで記録されるＤＶＣＰＲＯ  ＨＤの１０８０／６０ｉの映像データがＭＸＦファイルとして記録されていることを示している。タグ４３は、オーディオ情報であり、音声ファイルのファイルタイプ、サンプリングレート、量子化ビット数が記録されている。
【００３３】
タグ４４は、プロキシデータの情報であり、プロキシデータのファイルタイプ、映像コーデック、圧縮レート、フレームレート、解像度が記録されている。図３の例では圧縮レートが１．５ｋｂｐｓであり、タグ４２の本線データの圧縮レートよりもはるかに小さい。解像度もＱＶＧＡ（３２０×２４０）であり、確認に使用できる程度のものとなっている。
【００３４】
タグ４５は、映像に映っている被写体のリストであり、被写体のＩＤ毎に、映像に映った瞬間の時刻に対応するオフセットおよび映像から外れた瞬間の時刻に対応するオフセットが記録されている。図３の例では、ＩＤが“０００１”の被写体は最初から最後まで映っており、ＩＤが“０００２”の被写体は２回、映像に映っていることを示している。
【００３５】
図２において、通信処理部３４は、他の記録再生装置１ｂへ映像取得要求を送信する場合、及び他の記録再生装置１ｂから映像取得要求を受信し、クリップデータを送信する場合に、通信装置１３を通して、他の記録再生装置１ｂと通信を行う。ＧＵＩ処理部３５は、表示部２２のインターフェースをグラフィック表示して、撮影者の入力操作を低減する。
【００３６】
検索処理部３６は、第１記録媒体１２に記録されているすべてのクリップから順にクリップ管理情報ファイルを読み出し、他の記録再生装置１ｂからの映像取得要求に含まれた被写体ＩＤと、クリップの被写体ＩＤとを比較し、一致した被写体ＩＤが含まれるクリップを検出する。
【００３７】
図４は、表示部２２に表示された機器設定メニューを示す図である。図４において、項目５１〜５４の４つの設定項目が設けられている。図４に示すような表示部２２に表示された機器設定メニューに対し、撮影者が入力部１５から機器の設定を入力することにより、機器設定処理部３２により機器の設定が行われ、機器の設定情報が第１記録媒体１２に記録される。
【００３８】
項目５１は、クリップデータを他の記録再生装置１ｂと共有するかどうかを設定するもので、設定が“ＯＮ”の場合には他カメラからの要求に応じて共有処理を行う。項目５２は、他の記録再生装置１ｂから映像データを取得する際に、取得する映像データの範囲を設定するものである。項目５２が“自カメラ”に設定されている場合には、自分側の記録撮影装置１ａで撮影した映像の開始時刻から停止時刻の区間に対応する映像データを他の記録再生装置１から取得する。“他カメラ”に設定されている場合には、相手側の記録撮影装置１ｂで撮影した映像の開始時刻から停止時刻の区間の映像データを取得する。
【００３９】
項目５３は、他の記録再生装置１ｂから映像データを取得する際に、取得する映像の対象を設定するもので、“対象が映っている区間”に設定されている場合は、目的の被写体が映っている区間のみを他の記録再生装置１ｂから取得する。“すべて”に設定されている場合は、目的の被写体２ａが映っていない区間も含めて取得する。
【００４０】
図５は、図４における項目５２および項目５３の設定毎の取得する映像データの区間を示す図である。時系列６１は、記録再生装置１ａが撮影した映像の被写体が映っている区間を示すもので、領域６２は被写体２ａが映っている区間を示し、領域６３は被写体２ｂが映っている区間を示す。一方、時系列７１は記録再生装置１ｂが撮影した映像の被写体が映っている区間を示すもので、領域７２は被写体２ａが映っている区間を示し、領域７３は被写体２ｂが映っている区間を示す。
【００４１】
領域８１は、被写体２ａに関し、記録再生装置１ａの機器設定メニューにおける項目５２が“自カメラ”に設定され、項目５３が“対象が映っている区間”に設定されている場合における、記録再生装置１ｂから記録再生装置１ａへ送られる映像データの領域である。領域８２は、被写体２ａに関し、項目５２が“他カメラ”に設定され、項目５３が“対象が映っている区間”に設定されている場合における、記録再生装置１ｂから記録再生装置１ａへ送られる映像データの領域である。
【００４２】
領域８３は、項目５２が“自カメラ”に設定され、項目５３が“すべて”に設定されている場合における、記録再生装置１ｂから記録再生装置１ａへ送られる区間の映像データの領域である。領域８４は、項目５２が“他カメラ”に設定され、項目５３が“すべて”に設定されている場合における、記録再生装置１ｂから記録再生装置１ａへ送られる映像データの領域である。
【００４３】
項目５２および項目５３を設定することにより、記録再生装置１ａは、記録再生装置１ｂから領域８１〜８３の映像データを選択的に取得することができる。
【００４４】
図４に示す項目５４は、他の記録再生装置１ｂから映像を取得する際に、取得する映像の種類を設定するもので、“本線映像”に設定されている場合は、他の記録再生装置１ｂから本線映像データを取得する。“プロキシ”に設定されている場合は、プロキシ映像データを取得する。
【００４５】
なお、取得する本線映像データは、自分の記録再生装置１ａで撮影した映像データと同じコーデックおよびフレームレートとする。これは、コーデックやフレームレートが異なる映像の場合、編集環境に制限が生じたり、映像そのものの雰囲気が異なったりするためである。一方、プロキシ映像データは、もともと確認や簡易編集用の映像データのため、編集環境の制限も少なく、雰囲気を気にするような映像でないため、同じコーデックおよびフレームレートである必要はない。なお、コーデックやフレームレートが異なる場合は自動的にプロキシ映像データを取得するようにしても良い。
【００４６】
次に、記録再生装置１ａが他の記録再生装置１ｂから映像データを取得する場合について説明する。まず、記録再生装置１ａは、映像データを記録後に、他の記録再生装置１ｂへ目的の被写体ＩＤ、撮影した映像データのコーデックおよびフレームレート、映像撮影開始日時、デュレーション、取得する範囲、取得する対象、取得する種類をブロードキャストへ送信する。すなわち、同一ネットワーク網４内にいるすべてのネットワーク機器へ送信する。
【００４７】
ここで、目的の被写体ＩＤ、取得する範囲、取得する対象、取得する種類は、機器設定処理部３２により第２記録媒体１３から読み出すことが出来る。また、映像のコーデックおよびフレームレート、映像撮影開始日時、デュレーションは、クリップファイル処理部３３によりクリップ管理ファイルから読み出すことが出来る。
【００４８】
目的の映像データが記録されている他の記録再生装置１ｂから映像データ検知コマンドを受信した場合に、記録再生装置１ａは、送信元アドレスへＡＣＫ応答を送信する。なお、映像データ検知コマンドおよびＡＣＫ応答は、記録再生装置１ａで規定されている。ＡＣＫ応答を送信後、記録再生装置１ａは、映像データを受信し、第２記録媒体１３に記録する。記録完了後、記録再生装置１ａは、クリップ管理情報ファイルを更新する。
【００４９】
図６は、取得した映像データを記録するディレクトリ構成を示す図である。すなわち、取得した映像データを保存するためのディレクトリである“ＥＸＴＲＡ”ディレクトリに、クリップ名にインデックス値を加えたものをファイル名として記録する。なお、インデックス値とは、取得した順に０からカウントアップした値とする。
【００５０】
図７は、記録再生装置１ａが取得した映像データ（図６の取得映像ファイル「０００２００．ｍｐ４」）を記録した後のクリップ管理情報ファイルに追記されたタグを示す図である。すなわち、取得した映像データのファイル名、映像コーデック、開始日時、デュレーション等を記録する。
【００５１】
次に、他の記録再生装置１ｂから映像取得要求を受けたときの記録再生装置１ａの処理について説明する。図８は、記録再生装置１ａの処理を示すフローチャートである。
【００５２】
まず、ステップＳ１０１において、機器設定処理部３２が第２記録媒体１３より、機器設定メニューの項目５１に対応する設定情報を読み込み、設定が“ＯＦＦ”の場合は何もせず、処理を終了する。設定が“ＯＮ”の場合はステップＳ１０２に移行する。
【００５３】
次に、ステップＳ１０２において、機器設定処理部３２が入力部１５から処理終了命令を受信したか否かを判断する。処理終了命令を受信していれば、処理を終了する。処理終了命令を受信していなければ、ステップＳ１０３に移行する。次に、ステップＳ１０３において、通信処理部３４が他の記録再生装置１ｂからの映像取得要求を受信したか否かを判断する。要求が無い場合はステップＳ１０２に戻り、処理終了命令を受信したかを確認しつつ、映像取得要求が来るまで待機する。映像取得要求を受信したらステップＳ１０４に移行する。なお、映像取得要求として、被写体ＩＤ、映像コーデック、映像フレームレート、映像開始日時、デュレーション、取得する範囲、取得する対象、取得する種類を受信する。
【００５４】
次に、ステップＳ１０４において、検索処理部３６は、映像取得要求の被写体ＩＤに対応するクリップを検索する。すなわち、検索処理部３６は、第１記録媒体１２に記録されているすべてのクリップからクリップ管理情報ファイルを順に読み出し、受信した被写体ＩＤと、図３のタグ４５に記載されているような被写体ＩＤとを比較し、一致するクリップを検出する。対応するクリップがない場合は、ステップＳ１０２に移行し、処理終了命令を受信したかを確認しつつ、映像取得要求が来るまで待機する。対応するクリップを検出した場合はステップＳ１０５に移行する。
【００５５】
次に、ステップＳ１０５において、検索処理部３６は、被写体ＩＤが一致するクリップが、受信した映像取得要求の撮影区間に入っているか判断する。すなわち、検索処理部３６は、ステップＳ１０４において検出されたクリップの撮影日時およびデュレーションをクリップ管理ファイルのタグ４１から読み込み、このクリップの映像データの撮影区間に、受信した映像取得要求の映像開始日時およびデュレーションから求められる区間が含まれるかを判断する。求められる区間が、クリップの撮影区間に含まれない場合は、ステップＳ１０４に移行し、別のクリップを再度検索する。求められる区間が、クリップの撮影区間に含まれる場合は、ステップＳ１０６に移行する。
【００５６】
次に、ステップＳ１０６において、検索処理部３６は、検出されたクリップが要求されている映像データの種類であるか否かを判断する。すなわち、受信した映像取得要求における取得する種類が“本線映像”の場合は、映像データのコーデックおよびフレームレートのチェックをするためステップＳ１０７に移行する。“プロキシ”の場合はステップＳ１０８に移行する。
【００５７】
次に、ステップＳ１０７において、検索処理部３６は、検出されたクリップが要求されている映像データのコーデックおよびフレームレートであるか否か判断する。すなわち、検索処理部３６は、検出されたクリップのコーデックおよびフレームレートをクリップ管理ファイルのタグ４２から読み込み、ステップＳ１０３において受信したコーデックおよびフレームレートと比較する。一致しない場合は、ステップＳ１０４に移行し、別のクリップを再度検索する。一致する場合は、ステップＳ１０８に移行する。
【００５８】
次に、ステップＳ１０８において、映像データの送信範囲および取得する対象を判断する。すなわち、ステップＳ１０３において受信した取得する範囲、取得する対象がそれぞれ“他カメラ”、“すべて”の場合は、映像データをすべて送ればよいためステップＳ１１０へ進む。また、取得する範囲が“自カメラ”で取得する対象が“すべて”の場合でも、対象のクリップが受信した映像取得要求の映像開始日時およびデュレーションから求められる区間にすべて含まれる場合は、映像データをすべて送ればよいためステップＳ１１０へ移行する。上記以外の場合には映像データを分割する必要があるためステップＳ１０９へ移行する。
【００５９】
すなわち、図５に示す例においては、領域８４を取得するときのみステップＳ１１０へ移行し、領域８１、領域８２、領域８３を取得する場合には各領域の先頭と終端で映像データの分割を行う必要があるためステップＳ１０９へ移行する。
【００６０】
次に、ステップＳ１０９において、検索処理部３６は、映像データの分割を行う。映像データを分割するには、ファイルヘッダーを新たに付加する必要がある。ファイルヘッダーには、ファイル形式、映像コーデック、映像の開始日時、デュレーション、ファイルサイズ等が記録されており、ファイル分割により変更する項目である映像の開始日時、デュレーション、ファイルサイズを更新する必要がある。すなわち、検索処理部３６は、映像データのファイルヘッダーを図示しないメモリ上に読み込み、映像の開始日時、デュレーション、ファイルサイズを変更して付加するファイルヘッダーとして使用する。
【００６１】
分割後の映像の映像開始日時は、クリップの映像開始日時に、クリップ管理ファイルのタグ４５に記載している被写体が映り始めたオフセット値を加えたもの、または、映像取得要求を受信した映像開始日時となる。図５に示した例では、領域８１の後半部および領域８２が前者となり、領域８１の前半部および領域８３では後者となる。
【００６２】
デュレーションは、映像開始日時と映像終了日時との差分により求まる。映像終了日時はクリップの映像開始日時に、クリップ管理ファイルのタグ４５に記載している被写体が検知から外れたときのオフセットを加えたもの、または、映像取得要求の映像開始日時に対応するオフセットとデュレーションとを加算したものとなる。図５に示した例では、領域８１の前半部および領域８２が前者となり、領域８１の後半部および領域８３では後者となる。また、ファイルサイズは映像コーデックにより１フレームのデータサイズが一意に決まるので、デュレーションにより計算できる。
【００６３】
なお、分割した映像データは、第２記録媒体１３には記録せずに図示しないメモリ上に展開し、ステップＳ１１０のデータ送信後にデータを破棄する。
【００６４】
ステップＳ１１０において、映像取得要求の送信元アドレスへ映像データ検知コマンドを送信し、ＡＣＫ応答を受信後、映像データを１フレームずつ送信する。
【００６５】
以上の工程により、記録再生装置１ａは、同じ場面を撮影している他の記録再生装置１ｂに映像を送付することが出来る。
【００６６】
ここで、プロキシデータは、前述のとおり編集や確認用の映像データであり、本線映像データに比べ解像度が低いため、本線映像を再生する際に取得したプロキシデータを一緒に再生することが可能となる。
【００６７】
図９は、本線映像と取得したプロキシデータを同時に再生したときの例を示す図である。本線映像データおよびプロキシデータはデコーダ２０でデコードされる。表示部２２に本線映像９１が再生され右下にプロキシ映像９２が再生されている。本線映像９１は、被写体２ａが重点的に撮影され、プロキシ映像９２では被写体２ｂが重点的に撮影されている。なお、映像・音声出力部１９を用いて外部に出力してもよい。
【００６８】
このように、他の映像記録再生装置から映像データを受信することにより、マルチアングル再生を行うことが出来る。
【００６９】
なお、本実施の形態に係る記録再生装置は、人物の検知に対して、電子タグを用いた場合を例に説明したが、必ずしもこの構成に限定されない。例えば、以下のように人物検知は顔認識技術により実現してもよい。
【００７０】
まず、学校内のネットワークに図示しない人物検索サーバを設置し、このサーバに事前に全生徒の顔画像とユニークなＩＤを登録しておく。記録再生装置１ａは、撮影している映像から顔部分の画像（顔画像）を抽出し、顔画像に基づいて顔の特徴点の位置関係を表す情報、すなわち、個人の顔を識別するための特徴点としての目、鼻、口などの位置関係を表す情報を顔特徴データとして算出する。なお、顔認識処理、および顔特徴データの算出方法については、公知の技術のため説明を省略する。そして、顔特徴データを人物検索サーバに送信し、人物検索サーバで対応する人物を検索し、対応するＩＤを記録再生装置１ｂに送信する。
【産業上の利用可能性】
【００７１】
本発明は、同じ場面を撮影している他の記録再生装置から被写体のＩＤをもとに映像データを取得することで、目的の被写体が映っている映像データを他の記録再生装置から取得することが出来る。このため、取得した映像を映像の編集の際に用いたり、マルチアングル再生に用いたりする記録再生装置として有効である。
【図面の簡単な説明】
【００７２】
【図１】本発明の実施の形態における記録再生装置を運動会のリレーで使用される例を示す図
【図２】本実施の形態における記録再生装置の構成を示すブロック図
【図３】本実施の形態におけるクリップ管理情報ファイルの構成を示す図
【図４】本実施の形態における機器設定メニューの構成を示す図
【図５】本実施の形態における映像に映っている被写体の時系列を示す図
【図６】本実施の形態における取得映像のディレクトリ構成を示す図
【図７】本実施の形態におけるクリップ管理情報ファイルの記載構成を示す図
【図８】本実施の形態における被写体ＩＤからの映像共有方法を示すフローチャート
【図９】本実施の形態における映像表示の形態を示す図
【符号の説明】
【００７３】
１ａ、１ｂ  記録再生装置
２ａ、２ｂ  被写体
３ａ、３ｂ  電子タグ
４  ネットワーク網
１１  システム制御部
１２  第１記録媒体
１３  第２記録媒体
１４  通信装置
１５  入力部
１６  映像・音声入力部
１７  エンコーダＨｉｇｈ
１８  エンコーダＬｏｗ
１９  映像・音声出力部
２０  デコーダ
２１  人物検知装置
２２  表示部
３１  人物検知処理部
３２  機器設定処理部
３３  クリップファイル処理部
３４  通信処理部
３５  ＧＵＩ処理部
３６  検索処理部
４１〜４５  タグ
５１〜５４  項目
６１、７１  時系列
６２、６３、７２、７３、８１〜８４  領域
９１  本線映像
９２  プロキシ映像
【図１】
2010034788.tif 000003
【図２】
2010034788.tif 000004
【図３】
2010034788.tif 000005
【図４】
2010034788.tif 000006
【図５】
2010034788.tif 000007
【図６】
2010034788.tif 000008
【図７】
2010034788.tif 000009
【図８】
2010034788.tif 000010
【図９】
2010034788.tif 000011